(57)【要約】      （修正有）【課題】ぬくもりややさしさといった癒し効果の他に、環境にも優しく消臭、防虫、防カビなどの機能を発揮する特に介護用ベッドを実現すること。【解決手段】ベッド装置１は、枠体２と枠体２に内嵌されたすのこ形状の床部で構成されている。また枠体２と床部はともにヒノキ材を加工して形成され、枠体２は、４本の支柱２１を互いに側板２２や頭部側板２３で連結して形成されている。さらに、床部を昇降駆動したり、床部のうちの背板部を起伏駆動できるようにしてある。【選択図】図２
0003145377.tif 000002
【実用新案登録請求の範囲】
【請求項１】
少なくとも４本の支柱を互いに側板で連結してなる枠体と、同枠体に内嵌されたすのこ形状の床部とで構成されており、前記枠体と床部はともにヒノキ材で形成されていることを特徴とするベッド装置
【請求項２】
前記すのこ形状の床部は、水平床部とこの水平床部に枢着された背板部とで構成され、背板部は起伏可能に形成したことを特徴とする請求項１記載のベッド装置。
【請求項３】
前記すのこ形状の床部を前記枠体に沿って上下方向に移動させるための床部昇降駆動装置と、前記背板部を起伏させるための背上げ駆動装置とのうち、少なくともいずれか一方または双方の駆動装置を具えていることを特徴とする請求項２記載のベッド装置。
【考案の詳細な説明】
【技術分野】
【０００１】  本考案は、ベッドの構造および構成部材に関するものである。
【背景技術】
【０００２】  介護福祉の分野では起伏装置の配置や見た目の感覚から、一般的に鉄製品のベッドが採用されている。しかしこれでは、素材が冷たい印象を与えるのに加え、原油高騰により鉄製品も製品価格に跳ね返ってきている。
また、一般のベッド装置において、くつろいだ雰囲気を醸し出し、快適な寝心地を実現するためにベッドの基体を檜で形成するものも下記公報に記載されている。
【特許文献】特開平１１−１５５６９４号公報
【考案の開示】
【考案が解決しようとする課題】
【０００３】  本考案は、軽量かつシンプルな構造で、介護用ベッドとしても最適であり、しかも床部の取り替えが簡単に出来るベッド装置を提供するものである。
【課題を解決するための手段】
【０００４】そこで、本考案のベッド装置は少なくとも４本の支柱を互いに側板で連結してなる枠体と、同枠体に内嵌されたすのこ形状の床部とで構成されており、前記枠体と床部はともにヒノキ材で形成されていることを特徴としている。【０００５】  また、前記すのこ形状の床部は、水平床部とこの水平床部に枢着された背板部とで構成され、背板部は起伏可能に形成したことを特徴としている。【０００６】  さらに、前記すのこ形状の床部を前記枠体に沿って上下方向に移動させるための床部昇降駆動装置と、前記背板部を起伏させるための背上げ駆動装置とのうち、少なくともいずれか一方または双方の駆動装置を具えていることを特徴としている。
【考案の効果】
【０００７】  本考案のベッド装置は、ヒノキの香りに包まれてくつろいだ雰囲気で安眠できるとともに人と地球に優しいベッドと言える。また防虫・殺菌効果もあり、湿気に強いため、マットや布団に熱がこもらないという効果がある。
ヒノキ材のベッドとすることにより、ぬくもり・やさしさといった癒しの効果のほか、ヒノキに含まれるヒノキチオールという天然抽出成分が、消臭、抗菌、防虫、防カビ、防腐、消炎機能などに幅広く作用し、衛生面が重要視される介護現場では非常に重宝されるものである。
【考案を実施するための最良の形態】
【０００８】以下、本発明のベッド装置の実施の形態を図面に基づいて説明する。なお、図１はベッド装置の全体斜視図、図２は背上げを起立させたときのベッド装置の全体斜視図、図３は床部駆動装置の作動状態を示す図、図４は背上げ駆動装置の作動状態を示す図である。【０００９】  ベッド装置１は、枠体２と枠体２に内嵌されたすのこ形状の床部４で構成されている。また枠体２と床部４はともにヒノキ材を加工して形成されている。枠体２は、４本の支柱２１を互いに側板２２や頭部側板２３で連結して形成されている。
なお、支柱２１は必ずしも４本である必要はなく６本あるいは８本でも良い。【００１０】  床部４は、前記枠体２に内嵌された上下枠４１、この上下枠４１に固定されたすのこ形状の水平床部４２およびすのこ形状の背板部４３よりなる。そして、背板部４３は、水平床部４２の端部で支軸４４により上下枠４１に起伏可能に保持されている。【００１１】  上下用モータ６０は、床部４の下部にブラケット５１を介して配置されたベースフレーム５に取り付けられている。６５は、前記上下枠４１の背面４箇所にブラケット６６を介して枢着されたスイングアーム。上下用モータ６０の動きはそれぞれがピン６１で枢支されたリンクアーム６２、連結棒６３、リンクアーム６４を介してスイングアーム６５に伝えられ上下枠４１を枠体２に沿い、ほぼ水平を保って上下方向に移動する。【００１２】  ７０は、水平床部４２の背面にブラケット７１を介して取り付けられた起伏用モータである。起伏モータ７０の動きは背板部４３の背面に接するスイングアーム７２に伝えられ、背板部４３を背後から押し上げる。すると、背板部４３は支軸４４を中心に図２に示すように起き上がる。なお、７３はスイングアーム７２の先端に取り付けられた無給油ブッシュ、７４は、背板部４３に取り付けたブラケットである。
【実施例】
【００１３】  このように構成されたベッド装置の使用例について説明する。
一般にベッド装置は、使用者の年齢、体格の違い、就寝用、介護用・医療用などの用途の違い、その他使用状況により異なるベッド高さに調整する必要がある。【００１４】  ベッド高さの調整は、上下用モータ６０を駆動することにより上下枠４１が水平に持ち上がるので使用者の使い勝手の良い高さに設定する。【００１５】  次に背板部４３の起伏動作は、起伏用モータ７０を駆動させこれに連動しているスイングアーム７２が背板部４３を背後から押し上げることにより行う。なお、背板部４３の起き上がり角度は水平から略９０度まで好きな角度に調整できる。
また、起伏用モータ７０が水平床部４２の背面にブラケット７１を介して取り付けられているために、上下枠４１がいかなる高さにあってもスムーズに作動する。ベッドの上下作動と起伏作動を同時に行うこともできる。【００１６】  このようなベッド装置はすのこ形状の床部４上に直接寝具を敷くか、薄手のマットレスを介在させても良い。ヒノキ材の床部４であるので、寝具やマットレスを害虫や細菌から守る事ができる。【００１７】  ヒノキにはヒノキチオールと呼ばれる芳香成分を多く含有しており、このヒノキチオールには鎮静、消臭、殺虫、抗菌などの種々の効果があることが知られている。このため、特に介護用のベッドとして使用する場合にはベッド使用者ならびに周囲に神経をリラックスさせ疲れを癒してくれるのである。【００１８】  さらに、前述したように介護用ベッド装置として好適であることを述べてきたが、もちろん介護に関係なく一般的なベッド装置として使用しても記載のように就寝時に気を静め、香りによるくつろいだ雰囲気や、快適な寝心地を得ることができ、心身ともに安眠できるものであることは言うまでも無い。
【図面の簡単な説明】
【００１９】
【図１】本考案ベッド装置一実施例を示す全体斜視図である、
【図２】背上げを起立させたときのベッド装置の全体斜視図である。
【図３】床部駆動装置の作動状態を示す図である。
【図４】背上げ駆動装置の作動状態を示す図である。
【符号の説明】
【００２０】  １    ベッド装置
２    枠体
２１  支柱
２２  側板
４    床部
４２  水平床部
４３  背板部
５    ベースフレーム
６０  上下用モータ
６３  連結棒
６５  スイングアーム
７０  起伏用モータ
【図１】
0003145377.tif 000003
【図２】
0003145377.tif 000004
【図３】
0003145377.tif 000005
【図４】
0003145377.tif 000006